(57)【特許請求の範囲】
【請求項１】
吸水性のあるマンドレル処理液をマンドレル表面に供給するマンドレル処理液の攪拌供給装置であって、前記マンドレル処理液を収容する気密容器と、該気密容器に収容されたマンドレル処理液を攪拌する攪拌手段と、該攪拌手段で攪拌されたマンドレル処理液を前記気密容器の外部に圧送し、マンドレル表面に供給する供給手段と、乾燥剤を内蔵して該乾燥剤で乾燥させた大気を前記気密容器の内部に流通させる通気部とを備えたマンドレル処理液の攪拌供給装置。
【請求項２】
前記攪拌手段が、前記気密容器の内部に配置されて回転する攪拌体と、該攪拌体を前記気密容器の外部から非接触状態で回転駆動させる攪拌体駆動部とからなる請求項１に記載のマンドレル処理液の攪拌供給装置。
【発明の詳細な説明】
【技術分野】
【０００１】
本発明は、マンドレル処理液の攪拌供給装置に関し、さらに詳しくは、簡素な構成によって、吸水性のあるマンドレル処理液の大気からの吸水を防止しつつ、攪拌して成分の偏りをなくしてマンドレルの表面に供給可能とするマンドレル処理液の攪拌供給装置に関するものである。
【背景技術】
【０００２】
ゴムホース等のホース類の製造方法として、芯材となるマンドレルの外周に順次、層状の構成部材を巻付けて、未加硫のゴムホースを形成し、その最外周に樹脂被覆部材を押出して被覆してから加硫する方法が知られている。加硫後は、樹脂被覆部材をホースからはく離させて取り除き、ホースの一端側から水圧をかけて、マンドレルをホースから抜き取るようにしている。この際に、ホースの内周面とマンドレルの表面（外周面）と間の摩擦抵抗が大きいと、ホースの内周面に傷等を生じさせたり、マンドレルの表面がはく離してホースの内周面に付着する等の不具合が生じる。そこで、ホースの製造には、マンドレルの表面に離型剤となるマンドレル処理液を塗布し、乾燥させたもの使用している（例えば、特許文献１参照）。
【０００３】
マンドレル処理液は、例えば、ポリテトラフルオロエチレン等の微粒子を含んだケトン系溶液等の吸水性の高い離型剤で、吸水することでゲル化する性質がある。したがって、塗布工程において、マンドレル処理液を大気に開放された容器に収容しておくと大気中の水分を吸収してゲル化する。ゲル化したマンドレル処理液がホースに塗布され、製造工程で加硫されると、ゲル化したマンドレル処理液の水分がガス化し、そのガスは、外部に流出しようとして、最も強度の低い部分に集中し、例えば、ホース内周面にピンホールを生じさせるという問題があった。
【０００４】
単に大気中の水分とマンドレル処理液とを遮断するだけであれば、マンドレル処理液を密閉容器に収容すればよいが、十分な離型効果をすべての塗布領域で発揮させるには、成分の偏りがないマンドレル処理液をマンドレルの表面に供給する必要があり、常に、マンドレル処理液を攪拌して微粒子等の含有成分を分散させたものを供給しなければならない。
【０００５】
以上のようにマンドレル処理液を大気中の水分から遮断してゲル化を防止しつつ、常に攪拌するには、装置が大掛かりで複雑となるという問題があった。
【特許文献１】特開平１０−１５４５８号公報
【発明の開示】
【発明が解決しようとする課題】
【０００６】
本発明の目的は、簡素な構成によって、吸水性のあるマンドレル処理液の大気からの吸水を防止しつつ、攪拌して成分の偏りをなくしてマンドレルの表面に供給可能とするマンドレル処理液の攪拌供給装置を提供することにある。
【課題を解決するための手段】
【０００７】
上記目的を達成するため本発明のマンドレル処理液の攪拌供給装置は、吸水性のあるマンドレル処理液をマンドレル表面に供給するマンドレル処理液の攪拌供給装置であって、前記マンドレル処理液を収容する気密容器と、該気密容器に収容されたマンドレル処理液を攪拌する攪拌手段と、該攪拌手段で攪拌されたマンドレル処理液を前記気密容器の外部に圧送し、マンドレル表面に供給する供給手段と、乾燥剤を内蔵して該乾燥剤で乾燥させた大気を前記気密容器の内部に流通させる通気部とを備えたことを特徴とするものである。
【発明の効果】
【０００８】
本発明のマンドレル処理液の攪拌供給装置によれば、気密容器に収容された吸水性を有するマンドレル処理液を攪拌手段で攪拌し、成分を分散させて偏りをなくし、供給手段で成分の偏りのないマンドレル処理液を気密容器の外部に圧送して、マンドレル表面に供給することができる。
【０００９】
このマンドレル処理液の攪拌は、乾燥剤を内蔵した通気部を備えた気密容器の内部で行われるので、吸水性のあるマンドレル処理液が大気から吸水してゲル化することを防止できる。
【００１０】
通気部は、内蔵した乾燥剤で大気を乾燥させて気密容器の内部に流通させるので、気密容器の内部は常にほぼ大気圧に保たれる。したがって、気密容器を耐圧仕様にする必要がなく、また、マンドレル処理液を圧送する供給手段に過度の負荷が生じることもないので、簡素な構成とすることができる。
【発明を実施するための最良の形態】
【００１１】
以下、本発明のマンドレル処理液の攪拌供給装置を図に示した実施形態に基づいて説明する。
【００１２】
図１に攪拌供給装置１の全体構成を例示し、図２にその使用状態を例示する。図２では、マンドレル処理液Ｌが塗布されたマンドレル９を斜線を付して示している。この攪拌供給装置１は、有底ガラス容器２ａと密閉蓋２ｂとからなる気密容器２の内部にマンドレル処理液Ｌを収容している。
【００１３】
マンドレル処理液Ｌは、ポリテトラフルオロエチレン等の微粒子を含有成分とするケトン系溶液の離型剤であり、吸水性が高く、吸水することでゲル化する性質を有している。したがって、大気Ａに曝して放置すると大気Ａの水分を吸収してゲル化する。また、成分に微粒子等を含むので、常に攪拌しなければ成分に偏りが生じる。
【００１４】
有底ガラス容器２ａは、マンドレル処理液Ｌの攪拌体駆動部３ｂの上に載置され、有底ガラス容器２ａの内部には、磁性を有する攪拌体３ａが配置されている。攪拌体３ａは、攪拌体駆動部３ｂによって非接触状態で回転駆動されて、マンドレル処理液Ｌを攪拌する。ここでは、攪拌手段３が、攪拌体３ａと攪拌体駆動部３ｂとで構成される、いわゆるマグネチックスターラとなっているので、気密容器２の内部の気密性を保つことが容易であるとともに気密容器２の内部を広く使用でき、取扱い性の向上、装置のコンパクト化が図られている。
【００１５】
攪拌手段３は、これに限定されず、例えば、密閉蓋２ｂを挿通して気密容器２の外部から内部に回転駆動軸を立設し、先端部に取り付けた攪拌翼を気密容器２の外部の駆動モータ等で回転させる構成の攪拌手段３を用いることもできる。ただし、この構成の場合には、密閉蓋２ｂの回転駆動軸を挿通させる部分に気密シールを設ける必要がある。  
【００１６】
密閉蓋２ｂには３つの円筒部Ｓ１〜Ｓ３が立設され、その内の１つの円筒部Ｓ１は液補充部６となっている。液補充部６の先端を封止するゴム栓を外すと、気密容器２にマンドレル処理液Ｌが補充できる構造となっている。中央部の円筒部Ｓ２には、先端を封止するゴム栓を挿通し、気密容器２の内部と外部とを連通する供給管４ｂが設けられている。供給管４ｂには供給ポンプ４ａが接続されて、気密容器２に収容されたマンドレル処理液Ｌをマンドレル９の表面に供給する供給手段４となっている。
【００１７】
残りの円筒部Ｓ３には、先端を封止するゴム栓を挿通し、気密容器２の内部と外部とを連通する通気部５が設けられている。通気部５には乾燥剤Ｄが内蔵されており、乾燥剤Ｄの中を通過して乾燥された大気Ａが、気密容器２の内部に流通可能となっている。乾燥剤Ｄとしては、シリカゲル等の一般的なものを用いればよく、乾燥剤Ｄの吸水が飽和状態になった際には通気部５全体を交換して、新たな乾燥剤Ｄを内蔵した通気部５を取り付ける。通気部５の乾燥剤Ｄの下方部には、通気調整弁５ａが設けられ、乾燥剤Ｄで乾燥されて気密容器２の内部に流入する大気Ａの量が弁操作により調整可能となっている。
【００１８】
このように、マンドレル処理液Ｌは、気密容器２の内部で攪拌手段３によって常に攪拌されるとともに、大気Ａの水分とほぼ遮断された状態となっているので、大気Ａの水分を吸収することなく、ゲル化を防止することができる。
【００１９】
図２に示すように、攪拌されて成分の偏りがないマンドレル処理液Ｌは、供給管４ｂを通じて供給ポンプ４ａによって圧送されて、マンドレル９の表面に供給される。ここで、気密容器２には通気部５を通過して乾燥した大気Ａが流入するので、気密容器２の内部はほぼ大気圧となる。したがって、気密容器２を耐圧仕様にする必要がなく、供給ポンプ４ａに過度の負担がかかることもなく、ポンプ容量を小さくでき、攪拌供給装置１の構成の簡素化が可能となる。
【００２０】
図示しない巻取り装置で環状に巻き取られて一方向に移動するマンドレル９の表面には、供給管４ｂの先端部からマンドレル処理液Ｌが滴下する。滴下位置の下流側には、マンドレル９が挿通する塗布部７が配置され、塗布部７と接触しつつ通過することでマンドレル処理液Ｌが略均一に薄く塗布される。塗布部７には、耐摩耗性に優れ、マンドレル処理液Ｌを適度に吸収して一様に塗布できるナイロン繊維等を用いることができる。尚、マンドレル処理液Ｌを直接、塗布部７に滴下させてナイロン繊維等に滲み込ませるようにしてもよい。
【００２１】
マンドレル９の表面に塗布されたマンドレル処理液Ｌは、その後、さらに下流に配置された乾燥装置８で送風や加熱等によって乾燥される。このように処理されたマンドレル９は、ゴムホース等の製造時の加硫工程において、マンドレル処理液Ｌに起因するピンホール等の不具合を発生させることなく、所定の品質を確保することができる。また、マンドレル処理液Ｌは、常に攪拌されて成分の偏りがない状態で塗布されているので、加硫後においては、マンドレル９の表面にほぼ均一に塗布されたマンドレル処理液Ｌの離型効果によって、ゴムホースからマンドレル９を円滑に引抜くことができる。これによって、引抜きの際にゴムホースの内周面に傷等を生じさせることなく、マンドレル９の表面がゴムホースの内周面に付着する等の不具合も防止できる。
【図面の簡単な説明】
【００２２】
【図１】本発明のマンドレル処理液の攪拌供給装置を例示する全体構成図である。
【図２】図１のマンドレル処理液の攪拌供給装置の使用状態を例示する説明図である。
【符号の説明】
【００２３】
１  （マンドレル処理液の）攪拌供給装置
２  気密容器    ２ａ  有底ガラス容器    ２ｂ  密閉蓋
３  攪拌手段    ３ａ  攪拌体    ３ｂ  攪拌体駆動部
４  供給手段    ４ａ  供給ポンプ    ４ｂ  供給管  
５  通気部      ５ａ  通気調整弁
６  液補充部
７  塗布部
８  乾燥装置
９  マンドレル
Ｄ  乾燥剤
Ｌ  マンドレル処理液
【図１】
0004736646.tif 000002
【図２】
0004736646.tif 000003